(57)【要約】      （修正有）【課題】銃のスコープマウント装置、およびその取付固定のための治具に関し、ライフル銃への適用に適し、銃への取付および取外しが容易に行える等の取付性に優れ、取付後には射撃による衝撃力や取扱時の外力に耐え得る構造堅牢な取付性を確保する。【解決手段】スコープ保持部材３には、下部ベース半体３Ａの外周中央部に柱状の取付座部７が突設され、取付座部は、レシーバ２に間隔をあけて設けた取付ボス部に着脱可能に圧入、嵌合される凹部が下面に設けられると共に、凹部と連通して下部ベース半体の内周面に開口するねじ座を有するねじ孔が設けられ、下部ベース半体のねじ挿通孔に挿入されて取付ボス部のねじ孔に螺合される、頭部が前記ねじ座に当接する頭付締付ねじが締め付けられて下部ベース半体がレシーバの上面に取付固定される。【選択図】図１
2010271005.tif 000002
【特許請求の範囲】
【請求項１】
銃のレシーバの上面軸長方向に間隔をあけて配置される２つのスコープ保持部材が、各々がスコープの下半部を支承する半環状の下部ベース半体と該下部ベース半体に固定手段を介して衝合可能に固定されて前記スコープの上半部を支承する半環状の上部保持半体とを有して、前記スコープを抱持する銃のスコープマウント装置において、
前記各々のスコープ保持部材には、前記下部ベース半体の外周中央部に柱状の取付座部が突設され、
前記取付座部には、その下面に前記取付ボス部に着脱可能に圧入、嵌合される凹部が設けられると共に、前記凹部と連通して前記下部ベース半体の内周面に開口するねじ座を有するねじ挿通孔が設けられ、
前記下部ベース半体の前記ねじ挿通孔に挿入されて前記取付ボス部のねじ孔に螺合される、頭部が前記ねじ座に当接する頭付締付ねじが締め付けられることにより、前記下部ベース半体が前記レシーバの上面に取付固定されるようにした
ことを特徴とする銃のスコープマウント装置。
【請求項２】
前記取付座部には、外周に少なくとも１個の縦割溝が設けられていることを特徴とする請求項１記載の銃のスコープマウント装置。
【請求項３】
請求項１記載の銃のスコープマウント装置のスコープ保持部材の下部ベース半体をレシーバの上面に取付固定するための治具であって、
前記治具は、前記スコープの外径と同じ寸法を有し、
前記レシーバの上面に間隔をあけて取付固定された前記２つのスコープ保持部材の前記下部ベース半体に両端部が支承される長さを有し、
前記２つの下部ベース半体に支承された状態で、少なくとも一方の下部ベース半体を取付固定するための前記頭付締付ねじを締め付けるための締付工具が挿入される挿入孔が設けられている柱状体からなる
ことを特徴とする銃のスコープマウント装置の取付用治具。
【発明の詳細な説明】
【技術分野】
【０００１】
本発明は銃のスコープマウント装置、およびその取付固定するための治具に関し、例えばライフル銃への適用に適し、銃への取付および取外しが容易に行える等の取付性に優れ、また、取付後においては射撃による衝撃力や取扱時の外力に耐え得る構造堅牢な取付性を確保しようとするものである。
【背景技術】
【０００２】
特にライフル銃は遠距離射程により、目標物を的確に捉えて射撃を行うためにスコープを銃に装着して行われることが多い。このスコープを銃に取付けるのに、スコープの鏡筒部を抱持するためのリング状の２つのアームを用いてスコープをレシーバに取付けているものが見られる（例えば、特許文献参照）。
【先行技術文献】
【特許文献】
【０００３】
【特許文献１】特開２０００−２５８０９７号公報
【発明の概要】
【発明が解決しようとする課題】
【０００４】
ところで、特許文献に記載の上記従来の発明では、スコープを銃のレシーバに取付けるのに、２つのアームをねじ止めにより行われるので、射撃による衝撃力および反動力や取扱時の外力を受けた場合に、前記アームを銃に取付けるためのねじが緩み、がたつきを生じたり、また、甚だしい場合には、銃からスコープが脱落してしまうという、不都合があり、銃へのスコープの取付けは、構造的な強度が脆弱なものであった。
【０００５】
また、スコープを銃に取付けるための銃の設置個所は、銃のレシーバ等の上面が平坦ではなく、曲面個所に形成されているので、前後２つのアームをねじ止めしてスコープを取り付けるのに、高低差を生じ易く２つのアームを同一高さに設置して水平度を確保しにくいとともに、前後２つのアームによって取付けられるスコープを銃の軸長方向に一致させ、かつ同一向きに取付けなければならないという、要請を満足できるものではなかった。
【０００６】
本発明は上記従来の問題点を解決するとともに、銃への取付および取外しが容易に行える等の取付性に優れ、また、取付後においては射撃による衝撃力や取扱時の外力に耐え得る構造堅牢な取付性を確保でき、さらには、水平度を確保し易く、かつ銃に対するスコープの軸長方向性も容易かつ確実に確保できる銃のスコープマウント装置、およびその取付固定するための治具を提供することを目的とする。
【課題を解決するための手段】
【０００７】
本発明は上記課題に鑑みてなされ請求項１に記載の発明は、
銃のレシーバの上面軸長方向に間隔をあけて配置される２つのスコープ保持部材が、各々がスコープの下半部を支承する半環状の下部ベース半体と該下部ベース半体に固定手段を介して衝合可能に固定されて前記スコープの上半部を支承する半環状の上部保持半体とを有して、前記スコープを抱持する銃のスコープマウント装置において、
前記各々のスコープ保持部材には、前記下部ベース半体の外周中央部に柱状の取付座部が突設され、
前記取付座部には、その下面に前記取付ボス部に着脱可能に圧入、嵌合される凹部が設けられると共に、前記凹部と連通して前記下部ベース半体の内周面に開口するねじ座を有するねじ挿通孔が設けられ、
前記下部ベース半体の前記ねじ挿通孔に挿入されて前記取付ボス部のねじ孔に螺合される、頭部が前記ねじ座に当接する頭付締付ねじが締め付けられることにより、前記下部ベース半体が前記レシーバの上面に取付固定されるようにした
ことを特徴とする。
【０００８】
また、請求項２に記載の発明は、請求項１において、前記取付座部には、外周に少なくとも１個の縦割溝が設けられていることを特徴とする。
【０００９】
また、請求項３に記載の発明は、請求項１記載の銃のスコープマウント装置のスコープ保持部材の下部ベース半体をレシーバの上面に取付固定するための治具であって、
前記治具は、前記スコープの外径と同じ寸法を有し、
前記レシーバの上面に間隔をあけて取付固定された前記２つのスコープ保持部材の前記下部ベース半体に両端部が支承される長さを有し、
前記２つの下部ベース半体に支承された状態で、少なくとも一方の下部ベース半体を取付固定するための前記頭付締付ねじを締め付けるための締付工具が挿入される挿入孔が設けられている柱状体からなる
ことを特徴とする。
【発明の効果】
【００１０】
本発明の請求項１に記載の発明によれば、銃のレシーバの上面軸長方向に間隔をあけて配置される２つのスコープ保持部材が、各々がスコープの下半部を支承する半環状の下部ベース半体と該下部ベース半体に固定手段を介して衝合可能に固定されて前記スコープの上半部を支承する半環状の上部保持半体とを有して、前記スコープを抱持する銃のスコープマウント装置において、各々がねじ孔を有すると共に前記レシーバと一体に形成された２つの取付ボス部が、前記レシーバの上面軸長方向に間隔をあけて突設され、前記各々のスコープ保持部材には、前記下部ベース半体の外周中央部に柱状の取付座部が突設され、前記取付座部には、その下面に前記取付ボス部に着脱可能に圧入、嵌合される凹部が設けられると共に、前記凹部と連通して前記下部ベース半体の内周面に開口するねじ座を有するねじ挿通孔が設けられ、前記下部ベース半体の前記ねじ挿通孔に挿入されて前記取付ボス部のねじ孔に螺合される、頭部が前記ねじ座に当接する頭付締付ねじが締め付けられることにより、前記下部ベース半体が前記レシーバの上面に取付固定されるようにしたので、スコープを銃に取付けるのには、先ず２つのスコープ保持部材の下部ベース半体の下面に設けた柱状の取付座部の凹部を、銃のレシーバの上面に、軸長方向に間隔をあけて突設した２つの取付ボス部に圧入、嵌合させると、２つのスコープ保持部材の下部ベース半体は、レシーバの上面に間隔をあけて同高さに配置され、高低差がなく、水平度が確保され、位置決めされる。次いで、下部ベース半体の内周面に開口するねじ座を有するねじ挿通孔を介して銃のレシーバに間隔をあけて突設した２つの取付ボス部のねじ孔に頭付締付けねじを螺入して下部ベース半体の仮締め付けを行う。
【００１１】
その後、２つの下部ベース半体相互の上面に、スコープの外径と同じ寸法を有し、かつ、前記下部ベース半体に両端部が支承される長さを有する柱状体からなる治具を載架すると、この治具は、スコープの外径と同じ寸法を有し、かつ、２つのスコープ保持部材の下部ベース半体に両端部が支承される長さにより形成されているので、レシーバの上面に間隔をあけて配置された２つの下部ベース半体相互は、治具を基準として銃の軸長方向に一致され、かつ同一向きに調整され、整列化して配置される。そして、この治具の少なくとも一端または両端近くに設けられている挿入孔内に、レンチもしくはドライバーよりなる締付工具を挿入することにより、下部ベース半体のねじ挿通孔に挿入された頭付締付けねじをねじ座に頭部が当接するまで回動操作してその雄ねじ部を前記取付ボス部の内周に設けたねじ孔に螺入し、２個の取付ボス部に下部ベース半体を間隔をあけて同高さに、かつ軸長方向に同一向きに構造堅牢に取付けることができる。
【００１２】
それから、２個の下部ベース半体相互の上面にスコープを載せ、その後、下部ベース半体の上面に上部保持半体を被せ、固定手段により下部ベース半体と、上部保持半体とを固着し、２個のスコープ保持部材によりスコープを抱持する。このように、銃に間隔をあけて突設した取付ボス部に取付座部の凹部を圧入、嵌合させて下部ベース半体を銃のレシーバの上面に間隔をあけて適正に配置し、治具により下部ベース半体相互の軸長方向の取付位置を調整後に、２個の下部ベース半体を取付ボス部に構造堅牢に固着する。それから、スコープを下部ベース半体の上面に載架後に、２つ割の下部ベース半体に上部保持半体を固着するという簡単な取扱い操作により、銃への取付および取外しが容易に行える等の取付性に優れる。
【００１３】
また、銃のレシーバの上面に、２個の取付ボス部が、軸長方向に間隔をあけて突設されるとともに、この取付ボス部に下部ベース半体の柱状の取付座部の凹部が圧入、嵌合され
て頭付締付けねじにて構造堅牢に固着されるので、スコープ保持部材の銃のレシーバに対する取付個所は強固に補強されて取付けが行われるため、スコープの取付後においては射撃による衝撃力や取扱時の外力に耐え得る構造堅牢な取付性を確保できる。
【００１４】
また、本発明の請求項２に記載の発明によれば、請求項１において、前記取付座部には、外周に少なくとも１個の縦割溝が設けられているので、銃のレシーバの上面に間隔をあけて設けられた２つの取付ボス部に、下部ベース半体の柱状の取付座部に設けた凹部を圧入、嵌合させる場合に、取付座部は縦割溝により弾発性が発揮されるため、取付座部の取付ボス部に対する嵌合が円滑かつ確実に行える。
【００１５】
また、本発明の請求項３に記載の発明によれば、請求項１記載の銃のスコープマウント装置のスコープ保持部材の下部ベース半体をレシーバの上面に取付固定するための治具であって、前記治具は、前記スコープの外径と同じ寸法を有し、前記レシーバの上面に間隔をあけて取付固定された前記２つのスコープ保持部材の前記下部ベース半体に両端部が支承される長さを有し、前記２つの下部ベース半体に支承された状態で、少なくとも一方の下部ベース半体を取付固定するための前記頭付締付ねじを締め付けるための締付工具が挿入される挿入孔が設けられている柱状体からなるので、銃にスコープを取付ける場合に、銃のレシーバの上面に、軸長方向に間隔をあけて突設した２個の取付ボス部に先ず２つのスコープ保持部材の下部ベース半体の下面に設けた取付座部の凹部を、銃のレシーバの上面に、軸長方向に間隔をあけて突設した２つの取付ボス部に圧入、嵌合させることにより、２つのスコープ保持部材の下部ベース半体をレシーバの上面に間隔をあけて同高さに配置し、下部ベース半体の設置の高低差をなくし、水平度を確保し、位置決めを行う。次いで、下部ベース半体の内周面に開口するねじ座を有するねじ挿通孔を介して銃のレシーバに間隔をあけて突設した取付ボス部の内周のねじ孔に頭付締付けねじを螺入して仮締め付けを行う。
【００１６】
その後、間隔をあけて配置された２つの下部ベース半体相互の上面に、スコープの外径と同じ寸法を有し、かつ、前記下部ベース半体に両端部が支承される長さを有する柱状体からなる治具を載架すると、この治具は、スコープの外径と同じ寸法を有し、かつ、２つのスコープ保持部材の下部ベース半体に両端部が支承される長さにより形成されているので、レシーバの上面に間隔をあけて配置された２つの下部ベース半体相互は、治具を基準として銃の軸長方向に一致され、かつ同一向きに調整され、整列化して配置される。そして、この治具の少なくとも一端または両端近くに設けられている挿入孔内に、レンチもしくはドライバーよりなる締付工具を挿入することにより、下部ベース半体のねじ挿通孔に挿入された頭部締付ねじをねじ座に頭部が当接するまで回動操作してその雄ねじ部を前記取付ボス部の内周に設けたねじ孔に螺入し、２個の取付ボス部に下部ベース半体を間隔をあけて同高さに、かつ軸長方向に同一向きに構造堅牢に取付けることができる。
【００１７】
それから、２個の下部ベース半体相互の上面にスコープを載せ、その後、下部ベース半体の上面に上部保持半体を被せ、固定手段により下部ベース半体と、上部保持半体とを固着し、スコープ保持部材によりスコープを抱持し、スコープの取付けを完了する。
【図面の簡単な説明】
【００１８】
【図１】図１は本発明の銃のスコープマウント装置の実施形態を示す側面図である。
【図２】図２は同じく本実施形態のスコープマウント装置を構成するスコープ保持部材の下部ベース半体を銃の上面に突設した取付ボス部に取り付ける場合に、治具を用いて高さおよび向きを調整している状態の拡大斜視図である。
【図３】図３は同じく上方から見た銃の拡大斜視図である。
【図４】図４は同じく本実施形態を構成するスコープ保持部材の拡大分解斜視図である。
【発明を実施するための形態】
【００１９】
以下、図面に従って本発明を実施するための最良の形態につき、詳細に説明する。
【００２０】
本実施形態は、銃１のレシーバ２の上面軸長方向Ｉに間隔Ｋをあけて配置される２個のスコープ保持部材３,３が、各々がスコープ４の下半分４ａを支承する半環状の下部ベース半体３Ａと該下部ベース半体３Ａに固定手段５を介して衝合可能に固定されて前記スコープ４の上半部４ｂを支承する半環状の上部保持半体４Ｂとを有して、前記スコープ４を抱持する銃のスコープマウント装置である点は特許文献に記載の発明とほぼ同様である。
【００２１】
しかしながら、本実施形態の銃のスコープマウント装置では、各々がねじ孔６ａを有すると共に前記レシーバ２と一体に形成された２つの取付ボス部６,６が、前記レシーバ２の上面軸長方向Ｉに間隔Ｌをあけて突設されている。
【００２２】
前記各々のスコープ保持部材３には、下部ベース半体３Ａの外周中央部に柱状の取付座部７が突設されている。そして、前記取付座部７には、その下面に前記取付ボス部６,６に着脱可能に圧入、嵌合される凹部７ａが設けられると共に、前記凹部７ａと連通して前記下部ベース半体３Ａの内周面に開口するねじ座７ｃを有するねじ挿通孔７ｂが設けられている。
【００２３】
８は頭部８ａを有する頭付締付ねじであり、この頭付締付ねじ８は前記下部ベース半体３Ａの前記ねじ挿通孔７ｂに挿入されて頭部８ａがねじ座７ｃに当接するまでその雄ねじ部８ｂを前記取付ボス部６,６のねじ孔６ａに螺合されることにより、この頭付締付ねじ８が締め付けられ、前記下部ベース半体３Ａが前記レシーバ２の上面に取付固定される。
【００２４】
前記上部保持半体３Ｂ、および前記下部ベース半体３Ａが、図４に示すように、それぞれの外形が正面略半環状をなして全体が１つの環状をなすように構成され、内周が前記スコープ４の鏡筒部を支承可能に正面略半円形の曲面部９ａ,９ｂが形成されている。
【００２５】
このように、スコープ保持部材３が、２つ割された上部保持半体３Ｂ、および前記下部ベース半体３Ａにより、スコープ４を周囲から抱持して銃１に取付けるので、分解作業および組立作業が容易かつ確実になる。
【００２６】
また、前記取付座部７には、外周に少なくとも１個の縦割溝９が設けられている。このように、取付座部７の外周に少なくとも１個の縦割溝９を設けたのは、銃１に設けられた取付ボス部６に下部ベース半体３Ａ,３Ａの取付座部７,７を取付ける場合に、取付座部７,７は縦割溝9により弾発性が発揮されるため、取付座部７,７の取付ボス部６,６に対する圧入、嵌合を円滑かつ確実に行うためである。また、前記取付ボス部６は、図示では円筒状に形成されているが、これは代表的な例示にあり、図示するものに限られず、例えば多角筒状に形成されるものであってもよい。また、取付ボス部６は、図示では２個が示されているが、これは代表的な例示であり、３個以上の複数個であってもよい。
【００２７】
前記固定手段５が、前記上部保持半体３Ｂ、および前記下部ベース半体３Ａの左右端に衝合可能に設けられた鍔部１１ａ,１１ｂ相互を螺子１２を用いてねじ止めする。
【００２８】
１３は治具であり、この治具１３はスコープ４の外径φ１と同じ寸法の外周径φ２を有し、かつ、前記レシーバ２の上面に間隔Ｌをあけて取付固定された前記２つのスコープ保持部材３,３に両端部が支承される長さＬ１を有し、この治具１３は柱状体１４であり、前記２つの下部ベース半体３Ａ,３Ａに支承された状態で、少なくとも一方の下部ベース半体３Ａを取付固定するための前記頭付締付ねじ８を締め付けるためのレンチもしくはドライバーよりなる締付工具１５が挿入される挿入孔１６が設けられている。前記柱状体１４は、例えば金属またはプラスチックにより形成される。
【００２９】
このように、柱状体１４の少なくとも一端、または両端近くにレンチもしくはドライバーよりなる締付工具１５を挿入する挿入孔１６を設けたのは、銃１にスコープ４を取付ける場合に、銃１のレシーバ２の上面に、軸長方向Ｉに間隔Ｌをあけて突設した取付ボス部６,６に柱状の取付座部７の凹部７ａをレシーバ２の上面に２個が間隔Ｌをあけて突設された円筒状の取付ボス部６,６に圧入、嵌合させて下部ベース半体３Ａ,３Ａを間隔をあけ、かつ同じ高さｈにて設置して下部ベース半体３Ａ,３Ａの設置の高低差をなくし、水平度を確保し、位置決めを行う。次いで、レシーバ２に設けた取付ボス部６,６のねじ孔６ａ,６ａと、この取付ボス部６,６に圧入、嵌合された柱状の取付座部７の凹部７ａに連通して下部ベース半体３Ａ,３Ａの内周面に開口するねじ座７ｃに有するねじ挿通孔７ｂとに頭付締付けねじ８を螺入して仮締め付けを行う。その後、２つの下部ベース半体３Ａ,３Ａ相互の上面に、スコープ４の外径φ１と同じ寸法を有し、かつ、前記下部ベース半体３Ａ,３Ａに両端部が支承される長さＬ１を有する柱状体からなる治具１３を載架すると、この治具１３は、スコープ４の外径φ１と同じ寸法を有し、かつ、２つのスコープ保持部材３,３の下部ベース半体３Ａ,３Ａに両端部が支承される長さにＬ1により形成されているので、レシーバ２の上面に間隔Ｌをあけて設けられた２つの下部ベース半体３Ａ,３Ａ相互は、治具１３を基準として銃１の軸長方向Ｉに一致され、かつ同一向きに調整され、整列化して配置後に、この治具１３の少なくとも一端または両端近くに設けられている挿入孔１６内に、レンチもしくはドライバーよりなる締付工具１５を挿入することにより、取付座部７の前記凹部７ａの上面に設けられたねじ座７ｃに頭部８ａが当接するまで頭付締付けねじ８を回動操作してその雄ねじ部８ｂを前記取付ボス部６,６の内周に設けたねじ孔６ａ,６ａに螺入して本締めを行うことにより、２個の取付ボス部６,６に下部ベース半体３Ａ,３Ａを間隔Ｋをあけて同高さh、hに、かつ軸長方向Ｉに同一向きに取付けるためである。
【００３０】
本実施形態の銃のスコープマウント装置は以上の構成からなり、スコープ４を銃１に取付けるのには、先ず２つ割の、下部ベース半体３Ａと、上部保持半体３Ｂと、により構成されるスコープ保持部材３のうちの前記下部ベース半体３Ａの下面に設けた柱状の取付座部７の凹部７ａを、銃１のレシーバ２の上面に、軸長方向Ｉに間隔Ｌをあけて突設した略円筒状の図では２個の取付ボス部６,６に圧入、嵌合させることにより、２個の下部ベース半体３Ａ,３Ａを銃１のレシーバ２の上面に間隔Ｋをあけて同高さｈにて配置し、水平度を確保し、位置決めを行う。
【００３１】
この際、前記取付座部７には、外周に少なくとも１個の縦割溝９が設けられているので、銃１に設けられた円筒状の取付ボス部６,６に、下部ベース半体３Ａ,３Ａの取付座部７,７を取付ける場合に、取付ボス部６,６は縦割溝９により弾発性が発揮されるため、取付座部７,７の取付ボス部６,６に対する嵌合が円滑かつ確実に行われる。
【００３２】
次いで、下部ベース半体３Ａ,３Ａの外周中央部に突設された柱状の取付座部７の凹部７ａと連通して下部ベース半体３Ａ,３Ａの内周面に開口するねじ座７ｃに有するねじ挿通孔７ｂを介して銃のレシーバ２に設けた取付ボス部６,６のねじ孔６ａ,６ａに頭付締付けねじ８を螺入して仮締め付けを行う。
【００３３】
その後、２つの下部ベース半体３Ａ,３Ａ相互の上面に、スコープ４の外径φ１と同じ寸法を有し、かつ、前記下部ベース半体３Ａ,３Ａに両端部が支承される長さＬ１を有する柱状体からなる治具１３を載架すると、この治具１３は、スコープ４の外径φ１と同じ寸法の外周径φ２を有し、かつ、２つのスコープ保持部材３,３の下部ベース半体３Ａ,３Ａに両端部が支承される長さにＬ1により形成されているので、前述のように、レシーバ２の上面に間隔Ｌをあけて設けられた２つの下部ベース半体３Ａ,３Ａ相互は、治具１３を基準として銃１の軸長方向Ｉに一致され、かつ同一向きに調整され、整列化して配置される。
【００３４】
そして、この治具１３の少なくとも一端または両端近くに設けられている挿入孔１６内に、レンチもしくはドライバーよりなる締付工具１５を挿入することにより、ねじ座７ｃに頭部８ａが当接するまで下部ベース半体３Ａ,３Ａのねじ挿通孔７ｂに挿入された頭部締付けねじ８を回動操作してその雄ねじ部８ｂを前記取付ボス部６,６の内周に設けたねじ孔６ａ,６ａに螺入して本締めを行うことにより、２個の取付ボス部６,６に下部ベース半体３Ａ,３Ａを間隔Ｋをあけて同高さh、hに、かつ軸長方向Ｉに同一向きに本締めして構造堅牢に取付けることができる。
【００３５】
それから、２個の下部ベース半体３Ａ,３Ａ相互の上面にスコープ４の鏡筒部を載せる。その後、下部ベース半体３Ａ,３Ａの上面に上部保持半体３Ｂ,３Ｂを鏡筒部の上から被せ、固定手段５により下部ベース半体３Ａ,３Ａと、上部保持半体３Ｂ,３Ｂとを固着し、この下部ベース半体３Ａと、上部保持半体３Ｂとにより全体が１つの環状をなすように構成されるスコープ保持部材３により周囲からスコープ４を抱持する。
【００３６】
このように、前記固定手段５が、前記上部保持半体３Ｂ、および前記下部ベース半体３Ａの左右端に衝合可能に設けられた鍔部１０ａ,１０ｂ；１１ａ,１１ｂ相互をねじ１２,１２を用いてねじ止めするので、上部保持半体３Ｂ,３Ｂ、および下部ベース半体３Ａ,３Ａの左右端に衝合可能に設けられた前記鍔部１０ａ,１０ｂ；１１ａ,１１ｂ相互をねじ１２,１２により、ねじ止めすることにより、下部ベース半体３Ａ,３Ａと、上部保持半体と３Ｂ,３Ｂを簡単かつ強固に固着することができる。
【００３７】
そして、前述のように、銃１に間隔Ｋをあけて突設した取付ボス部６,６を、下部ベース半体３Ａ,３Ａの下面に設けられた取付座部７の凹部７ａ内に圧入、嵌合させて下部ベース半体３Ａ,３Ａを銃１の上面に間隔Ｋをあけて適正に配置する。その後、柱状体１４よりなる治具１３により、下部ベース半体３Ａ,３Ａ相互の取付位置を上記のように調整後に、２個の下部ベース半体３Ａ,３Ａを取付ボス部６,６に固着する。それから、スコープ４を下部ベース半体３Ａ,３Ａの上面に載架後に、２つ割の下部ベース半体３Ａ,３Ａに上部保持半体３Ｂ,３Ｂを上面から被せて固着するという簡単な取扱い操作により、銃１への取付および取外しが容易に行える等の取付性に優れる。
【００３８】
また、レシーバ２の上面に、軸長方向Ｉに間隔Ｌをあけて取付ボス部６,６は突設されるとともに、この取付ボス部６,６に取付座部７の凹部７ａが嵌合されるので、スコープ保持部材３の銃１のレシーバ２に対する取付個所は強固に補強されて取付けが行われるため、スコープ４の取付後において、射撃による衝撃力および反動力や取扱時の外力に耐え得え、剛性も向上され、構造堅牢な取付性を確保できる。
【００３９】
図示する上記説明では、スコープ４を銃に取付けるのに、レシーバ２の上面、軸長方向Ｉに２個の取付ボス部６,６を間隔Ｌをあけて突設することにより、２個のスコープ保持部材３,３を固着してスコープ４を抱持するようにしているが、この取付ボス部６,６およびスコープ保持部材３,３の設置個数の増減変更は自由に行える。
【００４０】
また、図示では、スコープ保持部材４は、その外形が全体として、１つの環状をなすように構成されているが、これは代表的例示であり、図には示さないが、例えば八角形のような多角形に形成された場合にも本発明の適用範囲である。
【産業上の利用可能性】
【００４１】
本発明は、銃への取付および取外しが容易に行える等の取付性に優れ、また、取付後においては射撃による衝撃力や取扱時の外力に耐え得る構造堅牢な取付性を確保でき、さらには、水平度を確保し易く、かつ銃に対するスコープの軸長方向性も容易かつ確実に確保できるという用途・機能に適する。
【符号の説明】
【００４２】
１      銃
２      レシーバ
３      スコープ保持部材
４      スコープ
５      固定手段
６      取付ボス部
７      取付座部
７ａ    凹部
７ｂ    ねじ挿通孔
８      頭付締付ねじ
８ａ    頭部
８ｂ    雄ねじ部
９      縦割溝
１０ａ  鍔部
１０ｂ  鍔部
１１ａ  鍔部
１１ｂ  鍔部
１２    ねじ
１３    治具
１５    締付工具
１６    挿入孔
Ｉ      軸長方向
Ｋ      間隔
Ｌ      間隔
【図１】
2010271005.tif 000003
【図２】
2010271005.tif 000004
【図３】
2010271005.tif 000005
【図４】
2010271005.tif 000006